(57)【特許請求の範囲】
【請求項１】
弾性材料から成る環状の絞り部材（６）を備えた流量調整器（１，２，３，４，５，２０）であって、前記絞り部材は使用位置で該絞り部材と内側及び／又は外側に位置する調整成形部（２１）との間に制御間隙（８）を画定しており、該制御間隙（８）の流過断面は、流体の流過時に生じる圧力差に基づき変形する前記絞り部材（６）によって変化させられるようになっている形式のものにおいて、前記絞り部材（６）と前記調整成形部（２１）との間の相対位置は、変化させられるようになっていて、制御間隙（８）に比べて大きな流過断面を有する出発位置から、流入する若しくは流過する流体に基づき、戻し力に抗して使用位置へ移されるようになっていることを特徴とする、流量調整器。
【請求項２】
絞り部材（６）及び／又は調整成形部（２１）は流量調整器（１，２，３，４，５，２０）内で軸線方向摺動可能に配置されている請求項１記載の流量調整器。
【請求項３】
調整成形部（２１）は、使用位置で絞り部材（６）によって取り囲まれる調整部材（７）に設けられており、該調整部材（７）は流量調整器（１，２，３，４，５）内に摺動可能に案内されていて、流入する流体の圧力に基づき使用位置へ移動させられるようになっている請求項１又は２に記載の流量調整器。
【請求項４】
流量調整器（１，２，３）内には案内ピン（１０）を設けてあり、該案内ピンは、該案内ピンに沿って移動可能に案内されている調整部材（７）によって取り囲まれている請求項１から３のいずれか１項に記載の流量調整器。
【請求項５】
調整部材（７）はリング状及び／又は円板状に形成されていて、かつ又は案内開口部（１１）を有している請求項３又は４記載の流量調整器。
【請求項６】
調整部材（７）に、流過方向に方向付けられた案内ピン（１２）を設けてあり、該案内ピンは流入側及び／又は流出側に配置された案内開口部（１３）内に摺動可能に案内されている請求項３に記載の流量調整器。
【請求項７】
戻し力の形成のために少なくとも１つのコイルばね（９）を設けてある請求項４又は６記載の流量調整器。
【請求項８】
少なくとも１つのコイルばね（９）は、案内ピン（１０，１２）を取り囲んでいて、該コイルばねの一方の端部でもって調整部材（７）を流出側から負荷している請求項７に記載の流量調整器。
【請求項９】
戻し力の形成のために少なくとも１つのコイルばね（９）を設けてあり、かつ調整部材（７）には流出側に受容スリーブ（１４）を設けてあり、該受容スリーブは、コイルばね（９）の、調整部材（７）を負荷する側の端部領域を収容している請求項３又は６に記載の流量調整器。
【請求項１０】
絞り部材（６）は、流過方向に拡大する拡大ピン（２３）に配置されていて、流入する流体の圧力に基づき弾性作用に抗して伸び広がりながら、前記拡大ピンに沿って出発位置から使用位置へ移動するようになっている請求項１から３のいずれか１項に記載の流量調整器。
【請求項１１】
絞り部材（６）は使用位置で、調整成形部（２１）を支持する壁（２２）によって取り囲まれている請求項１０に記載の流量調整器。
【請求項１２】
流量調整器（１，２，３，４，５，２０）は衛生用の組込ユニットの構成部分である請求項１から１１のいずれか１項に記載の流量調整器。
【請求項１３】
衛生用の組込ユニットは、通気式若しくは非通気式の噴流調整器（１５）を有しており、該噴流調整器は流量調整器（１，２，３，４，５，２０）の下流側に接続されている請求項１２に記載の流量調整器。
【請求項１４】
衛生用の組込ユニットは、逆流防止装置（２４）を有しており、該逆流防止装置は流量調整器（１）の下流側に接続されている請求項１２又は１３に記載の流量調整器。
【請求項１５】
流量調整器の構成部分（１，２，３，４，５，２０，４０）と衛生用の組込ユニットとは、互いに分離可能に結合されている請求項１２から１４のいずれか１項に記載の流量調整器。
【請求項１６】
噴流調整器（１５）は噴流分割部材を有しており、該噴流分割部材は、ディフューザ（１６）として形成されている請求項１３から１５のいずれか１項に記載の流量調整器。
【請求項１７】
流出側に接続された噴流調整器（１５）のディフューザ（１６）に、不動の案内ピン（１０）若しくは摺動可能な案内ピン（１２）及び案内開口部（１３）を設けてある請求項１６に記載の流量調整器。
【請求項１８】
流量調整器（１，２，３，４，５，２０，４０）は、流体管路内に取り付け可能な組込部品として形成されている請求項１から１７のいずれか１項に記載の流量調整器。
【請求項１９】
流量調整器（４０）は、該流量調整器の外周に少なくとも１つの環状のシールリップ（４２）を有しており、該シールリップは前記流量調整器（４０）と流体管路内の流量調整器受容部との間を密閉している請求項１８に記載の流量調整器。
【請求項２０】
シールリップ（４２）は該シールリップの自由なリップ端部（４４）でもって外側へ斜めに突出していて、半径方向内側へばね弾性的にたわめられるようになっている請求項１９に記載の流量調整器。
【請求項２１】
絞り部材（６）及び／又は調整成形部（２１）は案内ケース（４１）内に軸線方向移動可能に配置されている請求項１から２０のいずれか１項に記載の流量調整器。
【請求項２２】
案内ケース（４１）は絞り部材（６）及び／又は調整成形部（２１）の軸線方向の作動移動運動を画定している請求項２１に記載の流量調整器。
【発明の詳細な説明】
【技術分野】
【０００１】
本発明は、弾性材料から成る環状の絞り部材を備えた流量調整装器であって、前記絞り部材は使用位置で該絞り部材と該絞り部材の内側及び／又は外側に位置する調整成形部との間に制御間隙を画定しており、該制御間隙はその流過断面を、液体の流過時に生じる圧力差に基づき変形する前記絞り部材によって変化させられるようになっている形式のものに関する。
【０００２】
流量調整装器は、種々の構造のものが公知である。このような流量調整器（流量調整弁）は、液体の単位時間当たりの最大の流過量を、圧力変動に左右されることなく一様に保ち、かつ所定の値に規定しようとするものである。液体が吸水管内を流れる飲料水である場合には、衛生設備の蛇口若しくは水栓の吐水口において流量調整器の下流側には噴流調整器を接続してあり、該噴流調整器（噴流調整装置）は、飛散することのない泡沫状の柔らかな均質な水噴流を形成しようとするものである。しかしながら流量調整器による圧力損失と下流側の噴流調整器による圧力損失とは加算されてしまうので、噴流調整器には所定の水噴流を形成するための十分な水量が供給されないことになり、つまり、上流側の流量調整器は特に低水圧時に下流側の噴流調整器の機能にとって不都合に作用している。このような流量調整器は、低い水圧しか生じていない領域では、供給すべき水量を減少させてしまうので、実質的に使用され得ないものとなっている。このような欠点は、水圧の増大のためにブースターポンプを用いる場合にはさらに大きいものになっている。
【０００３】
ドイツ連邦共和国特許出願公開第１０２００５０１１９４７Ａ号明細書に記載の流量調整器は、最大の流過量を変化させるようになっているものであり、調整器ケーシング内に１つの流過通路を有しており、流過通路内には、流過通路の軸線方向で相前後して配置された２つの調整装置を設けてあり、調整装置は、それぞれ環状（リング状）の絞り部材及び中央の調整部材（調整本体又は調整コア）から成っていて種々の流過量及び／又は種々の圧力領域に合わせて形成されている。この場合に、小さい流過量及び／又は低い圧力領域に合わせて形成されている調整装置は、少なくとも１つのバイパス通路若しくは類似の流過開口部を有しており、バイパス通路若しくは流過開口部は、開閉可能になっていて、高い流過量若しくは高い圧力領域では開かれ、かつ小さい流過量若しくは低い圧力領域では閉じられている。小さい流過量若しくは低い圧力領域にとって小さい流過量若しくは低い圧力領域のための調整装置の流過開口部を閉じると、流過液体、例えば水は、高い流過量若しくは高い圧力領域のための調整装置の調整部材と絞り部材との間の流路をも、小さい流過量若しくは低い圧力領域のための調整装置の調整部材と絞り部材との間の流路をも通過しなければならない。この場合に流量調整器の特性は、小さい流過量若しくは低い圧力領域に合わせて形成された調整装置によって規定されるようになっている。
【０００４】
高い流過量若しくは高い圧力領域にとって、小さい流過量若しくは低い圧力領域のための調整装置の流過開口部は開かれており、これによって流過液体、例えば水は、高い流過量若しくは高い圧力領域のための調整装置の調整部材と絞り部材との間の流路のみを通過するようになっている。この場合に流量調整器の特性は、高い流過量若しくは高い圧力領域に合わせて形成された調整装置によってのみ規定されるようになっている。このようにして、最大の流過量若しくは所定の圧力領域は、ドイツ連邦共和国特許出願公開第１０２００５０１１９４７Ａ号明細書に記載の流量調整器の流過開口部の開閉によって簡単かつ急速に変化させられるようになっている。明細書において、Ａ及び／又はＢの記載は、ＡとＢの少なくともいずれか一方を意味している。
【０００５】
ドイツ連邦共和国特許出願公開第１０２００５０１１９４７Ａ号明細書に記載の流量調整器によっては、特性を変化させるようになっているものの、該流量調整器は、時間的及び／又は局所的に著しい圧力差及び圧力変動の生じる領域には有利には用いられないものである。
【０００６】
ドイツ連邦共和国実用新案登録第２０２００４０８８２８１Ｕ１号明細書には、冒頭に述べた形式の別の流量調整器を記載してある。流水加熱装置の流入入口に接続された流量調整器において温度差を考慮するために、つまり例えば夏季には管路内を流れる流水は冬季に比べてすでに熱くなっており、流出する水を同一の温度にすることを目的として最大の流過量を簡単に変化させるために、ドイツ連邦共和国実用新案登録第２０２００４０８８２８１Ｕ１号明細書に記載の流量調整器は、内部のケーシング部分を有しており、内部（内側）のケーシング部分は絞り部材に対して相対的に移動可能に調整器ケーシング内に案内されている。内部のケーシング部分は制御部材を介して操作されるようになっており、制御部材は内部のケーシング部分の外周から外側へ突出している。内部のケーシング部分は、制御部材の両側で外側のケーシング部分によって密に取り囲まれており、外側のケーシング部分は互いに相対移動不能に配置されている。内部のケーシング部分は円錐形の調整部材を支持（保持）しており、円錐形の調整部材は絞り部材に対して相対的に移動させられ、これによって、絞り部材と調整部材との間に画定される制御間隙、ひいては該制御間隙内を流過する容積流は、調整部材の円錐に基づき変化させられるようになっている。移動可能な内部のケーシング部分を外側のケーシング部分によって密に取り囲んであり、制御部材を内部のケーシング部分から外側へ突出させてあるので、流量調整器の容積流は、流量調整器の分解を必要とすることなしに簡単に変えられるようになっている。ドイツ連邦共和国実用新案登録第２０２００４０８８２８１Ｕ１号明細書に記載の流量調整器において、内部のケーシング部分を密に取り囲む外側のケーシング部分を互いに相対移動不能に、つまり定位置に配置してあるので、内部のケーシング部分及び該ケーシング部分に支持若しくは保持された調整部材の移動、ひいては容積流の調整（変化）に伴って、流量調整器の長さを変化させる必要はなくなっている。しかしながらドイツ連邦共和国実用新案登録第２０２００４０８８２８１Ｕ１号明細書に記載の流量調整器においても、極めて大きな圧力差は下流側の噴流調整器若しくは類似の機能ユニットに不都合な影響を与えている。
米国特許出願公開第４８６７１９８号明細書に記載の流量調整器は、複数構造の調整器ケーシングを有している。この場合に下流側のケーシング部分には、調整部材を保持してあり、調整部材は液体の流れ方向と逆向きに円錐形に先細になっている。このような調整部材は弾性材料から成る絞り部材と協働するようになっており、絞り部材は穴あき板状に形成されていて、流入側のケーシング部分に取り付けられている。ケーシング部分間の軸線方向の相対運動によって円錐形の調整部材は穴あき板状の絞り部材の穴内に突入するようになっている。絞り部材を液体の圧力によって変形させることによって、絞り部材は付加的に調整部材に向けて運動させられ、絞り部材と調整部材との間の環状間隙を付加的に減少させるようになっている。該流量調整器の最大の流過量は、環状間隙を一方でケーシング部分間の相対的な作動運動によって、かつ他方で流入する液体の圧力によって変化させることに基づき変化されて、所定の流過量に限定されるようになっている。
【０００７】
本発明の課題は、冒頭に述べた形式の流量調整器を改善して、該流量調整器が、流過する液体の低い圧力に際しても、若しくは流過する液体の時間的及び／又は局所的に著しい圧力差の生じる場合にも常に高い機能を保証できるようにすることである。
【０００８】
前記課題を解決するために本発明に基づく構成では、冒頭に述べた形式の流量調整器において、絞り部材と調整成形部との間の相対位置は、変化させられるようになっていて、制御間隙に比べて大きな流過断面を有する出発位置から、流入若しくは流過する液体に基づき、戻し力に抗して使用位置へ移されるようになっている。
【０００９】
本発明に基づく流量調整器においては、絞り部材と調整成形部との間の相対位置は、軸線方向で変化させられるようになっていて、出発位置から戻し力に抗して使用位置、つまり通水位置へ移されるようになっている。使用位置では環状の絞り部材と調整成形部との間に１つの制御間隙を画定しており、該制御間隙の流過断面は、液体の流過により生じる圧力差に基づき変形する絞り部材により次のように変化させられ、つまり単位時間当たりの最大の流過量は所定の値に規定されて、一様に保たれるようになっている。これに対して、出発位置における絞り部材と調整成形部との間の相対位置は、制御間隙に比べて大きな流過断面を生ぜしめるように変化させられている。この場合に絞り部材と調整成形部との間の相対位置は、出発位置から、流入若しくは流過する液体に基づき、戻し力に抗して使用位置へ移される。戻し力は、絞り部材及び調整成形部が流過する液体の低圧時に出発位置に保たれるように規定されていてよく、それというのは出発位置では絞り部材と調整成形部との間に制御間隙に比べて大きな流過断面を生ぜしめるからであり、液体は本発明に基づく流量調整器を低圧時に実質的に妨げられることなく、つまり絞られずに通過できるからである。本発明に基づく流量調整器は、液体内に含まれる汚れ粒子が制御間隙領域を容易に通過できるようになっていて、あらゆる圧力領域にわたって機能を損なうことなしに用いられるものである。
【００１０】
絞り部材と調整成形部との間の相対機能を変化させるために、有利な実施態様では絞り部材及び／又は調整成形部は流量調整装器内で軸線方向摺動可能（軸線方向移動可能）に配置されている。絞り部材は、流過する液体内で浮遊するようになっていてよく、これによって調整成形部に向けて運動させられる。しかしながら本発明の有利な実施態様では、調整成形部は、使用位置（液体流過状態又は通水状態）で絞り部材によって取り囲まれる調整部材に設けられ、つまり一体成形されており、該調整部材は流量調整装器内に摺動可能（移動可能）に案内されていて、流入する液体の圧力に基づき使用位置へ移動させられるようになっている。
【００１１】
本発明に基づく流量調整器の確実な作動を保証するために、流量調整装器内には軸線方向の案内ピンを設けてあり、該案内ピンは、該案内ピンに沿って移動可能に案内されている調整部材によって取り囲まれている。本発明の有利な実施態様では調整部材はリング状及び／又は円板状に形成されていて、かつ又は案内開口部を有している。別の実施態様では調整部材に、流過方向若しくは軸線方向に向けられた案内ピンを設けてあり、該案内ピンは流入側及び／又は流出側に配置された案内開口部内に摺動可能に案内されている。
【００１２】
本発明の有利な実施態様では、戻し力の形成のために少なくとも１つのコイルばねを設けてある。コイルばねは、例えば圧縮ばねとして形成されていてよく、流過する液体の圧力の消滅に際して調整部材を再び出発位置へ戻すようになっている。この場合に少なくとも１つのコイルばねは、有利には案内ピンを取り囲んでいて、該コイルばねの一方の端部でもって絞り部材を有利には流出側から負荷（付勢）している。
【００１３】
本発明の有利な実施態様では、絞り部材には流出側（下流側）に受容スリーブを設けてあり、該受容スリーブは、コイルばねの、絞り部材を負荷（付勢）する側の端部領域を収容している。
【００１４】
本発明の別の有利な実施態様では絞り部材は、流過方向に拡大する、つまり下流側に向かって拡大する拡大ピン（拡張ピン）に配置されていて、流入する液体の圧力に基づき弾性作用に抗して伸び広がりながら、拡大ピンに沿って出発位置から使用位置へ移動するようになっている。この場合に拡大ピンは、下流側の部分に調整成形部を支持していてよい。追加的に、若しくは別の実施態様として絞り部材は使用位置で、調整成形部を支持する周壁によって取り囲まれている。
【００１５】
本発明の有利な実施態様では、流量調整装器は衛生用の組込ユニットの構成部分である。特に有利には、衛生用の組込ユニットは、空気を取り込む通気式の噴流調整器若しくは空気を取り込まない非通気式の噴流調整器を有しており、該噴流調整器は流量調整装器の下流側に接続されていて、飛散することのない均一な水噴流若しくは泡沫状の柔らかな均質な水噴流を形成するようになっている。さらに有利には衛生用の組込ユニットは、逆流防止装置を有しており、該逆流防止装置は流量調整装器の下流側に接続されている。流量調整装器の構成部分と衛生用の組込ユニットとは、有利には互いに分離可能に結合されている。
【００１６】
本発明の有利な実施態様では、噴流調整器は、流入する１つの液体流を複数の個別の噴流（個別噴流）に分ける噴流分割部材を有しており、該噴流分割部材（噴流細分化部材若しくは噴流）は、有利にはディフューザとして若しくは多孔板として形成されている。有利な実施態様では、流出側に接続された噴流調整装置のディフューザ若しくは多孔板に、案内ピン若しくは案内開口部を設けてある。
【００１７】
本発明の有利な実施態様では、流量調整装器は、液体管路内に取り付け可能な組込部品として形成されていて、必要に応じて後から所定の液体管路（液体導管）内に取り付けられるようになっている。
【００１８】
本発明の特に有利な実施態様では、流量調整装器は、該流量調整装器の外周に少なくとも１つの環状のシールリップを有しており、該シールリップは前記流量調整装器と液体管路内の流量調整装器受容部との間を密閉していて、不都合な漏れ流を防止するようになっている。シール作用若しくは液体管路内での保持力をさらに改善するために、本発明の有利な実施態様では、シールリップは該シールリップの自由なリップ端部でもって外側へ斜めに突出していて、半径方向内側へばね弾性的にたわめられるようになっている。
【００１９】
本発明に基づく流量調整器の可動（移動可能若しくは運動可能）の構成部分の故障のない容易な案内を保証するために、本発明の有利な実施態様では、絞り部材及び／又は調整成形部は案内ケース内に軸線方向移動可能に配置されている。案内ケースは絞り部材及び／又は調整成形部の軸線方向の作動移動運動を画定している。
【００２０】
次に本発明の実施例を図面に示して詳細に説明する。本発明に基づく構成事項は、図示の実施例に限定されることなく単独にも、種々に組み合わせても用いられるものである。
【図面の簡単な説明】
【００２１】
【図１】フリップフロップ形調整器若しくは双安定形調整器として形成された流量調整器をその出発位置で示す縦断面図であり、出発位置では中央の調整部材は、該調整部材を取り囲んでいる弾性材料製の環状の絞り部材から押し離されている。
【図２】フリップフロップ形調整器若しくは双安定形調整器として形成された流量調整器をその出発位置で示す平面図である。
【図３】図１及び図２の流量調整器をその使用位置で示す縦断面図である。
【図４】図１及び図２の流量調整器をその使用位置で示す平面図である。
【図５】別の流量調整器をその出発位置若しくは静止位置で示す図であり、この場合に該流量調整器は下流側に接続された噴流調整器と一緒に衛生用の組込ユニットを形成しており、噴流調整器に軸線方向の案内ピンを一体成形してあり、該案内ピンに、流量調整器の調整部材を摺動可能に案内してある。
【図６】別の流量調整器をその出発位置若しくは静止位置で示す断面図である。
【図７】図４及び図６から成る流量調整器をその使用位置で示す図である。
【図８】図４及び図６から成る流量調整器をその使用位置で示す断面図である。
【図９】噴流調整器及び流量調整器から成る衛生用の組込ユニットを示す図であり、この場合に噴流調整器と出発位置で示された流量調整器とは機能的に分離されていて、互いに解離可能に相互に結合されている。
【図１０】噴流調整器及び流量調整器から成る衛生用の組込ユニットを示す断面図である。
【図１１】図９及び図１０の流量調整器をその使用位置で示す図である。
【図１２】図９及び図１０の流量調整器をその使用位置で示す断面図である。
【図１３】流量調整器をその出発位置で示す図であり、この場合に調整部材は一体成形された案内ピンを用いて摺動可能に案内されており、案内ピンは下流側に接続された噴流調整器の案内開口部内を貫通している。
【図１４】流量調整器をその出発位置で示す断面図である。
【図１５】図１３及び１４の流量調整器と比較可能な流量調整器をその使用位置で示す図である。
【図１６】図１３及び１４の流量調整器と比較可能な流量調整器をその使用位置で示す断面図である。
【図１７】図１３乃至図１６の流量調整器と比較可能な流量調整器をその出発位置で示す図であり、この場合に調整部材に受容スリーブを案内ピンと同軸に一体成形してある。
【図１８】図１３乃至図１６の流量調整器と比較可能な流量調整器をその出発位置で示す断面図である。
【図１９】図１７及び図１８の流量調整器をその使用位置で示す図である。
【図２０】図１７及び図１８の流量調整器をその使用位置で示す断面図である。
【図２１】流量調整器をその使用位置で示す図であり、該流量調整器の弾性の絞り部材は、流過方向で円錐形に拡大する拡大ピンに配置されており、この場合に絞り部材は、周壁によって取り囲まれていて、流入する液体の圧力に基づき拡大ピンに沿って伸び広がりつつ出発位置から使用位置へ移動させられるようになっており、周壁は調整成形部を支持若しくは保持している。
【図２２】図２１と同じ流量調整器をその使用位置で示す断面図である。
【図２３】図２１及び図２２の流量調整器をその出発位置で示す図である。
【図２４】図２１及び図２２の流量調整器をその出発位置で示す断面図であり、該出発位置では、絞り部材は拡大ピンに沿って、調整成形部を支持する周壁から押し離されており、流過断面は制御間隙に比べて大きくなっている。
【図２５】図１乃至図４の流量調整器と比較可能な流量調整器の縦断面図であり、該流量調整器は、下流側に接続された逆止弁と一緒に組込ユニットを形成しており、この場合に流量調整器と逆止弁とは無負荷状態の出発位置で示してある。
【図２６】図２５の組込ユニットの、液体が流過する使用位置での縦断面図である。
【図２７】単位時間当たりの流過量の特性線図である。
【図２８】図１乃至図４の流量調整器と比較可能な流量調整器の、中央の調整部材の出発位置での縦断面図であり、調整部材は弾性材料から成る環状の絞り部材から押し離されており、この場合に調整部材は案内ケース内に紛失しないように保持されかつ案内されている。
【図２９】図１乃至図４の流量調整器と比較可能な流量調整器の、中央の調整部材の出発位置での平面図であり、この場合に調整部材は案内ケース内に紛失しないように保持されかつ案内されている。
【図３０】図２８及び図２９の流量調整器を使用位置で示す縦断面図であり、該使用位置では中央の調整部材は該調整部材と該調整部材の周囲の絞り部材との間に制御間隙を画定している。
【図３１】図２８及び図２９の流量調整器を使用位置で示す平面図であり、該使用位置では中央の調整部材は該調整部材と該調整部材の周囲の絞り部材との間に制御間隙を画定している。
【００２２】
図１乃至図２４、及び図２８乃至図３１には、流量調整器の実施例１，２，３，４，５，２０，４０を示してある。図示の各実施例１，２，３，４，５，２０，４０の流量調整器は、流体若しくは液体の、単位時間当たりに管路内を流れる最大の流量、有利には管路から流出する最大の流量を一様にしかつ所定の値に規定するために用いられるものである。ここに示してある流量調整器１，２，３，４，５，２０，４０は、図示省略の水栓若しくは蛇口に取り付けられる衛生用の組込ユニットの構成部品である。
【００２３】
流量調整器１，２，３，４，５，２０，４０は、弾性材料から成るリング状の絞り部材６を備えており、該絞り部材は、図３及び図４、図７及び図８、図１１及び図１２、図１５及び図１６、図１９及び図２０、図２１及び図２２、並びに図３０及び図３１に示してある使用位置では、該絞り部材と内側及び／又は外側に位置する調整成形部２１との間に制御間隙８を画定（画成）している。制御間隙８はその流過断面を、流体の流過時に生じる圧力差に基づき変形し若しくは圧力の増大に伴って調整成形部２１内に弾性的に入り込む絞り部材６により変化させられるようになっている。図１乃至図２０及び図２８乃至図３１と図２１乃至図２４との比較により明らかであるように、調整成形部２１は絞り部材６に対して内側にも外側にも配置され得るものである。図１乃至図２０及び図２８乃至図３１に示す流量調整器１，２，３，４，５，４０においては、調整成形部２１を、絞り部材６によって取り囲まれた調整部材７の外周に配置（成形）してあるのに対して、図２１乃至図２４の流量調整器２０においては、調整成形部２１は、絞り部材６を取り囲む壁２２の内周に設けられている。
【００２４】
図１乃至図２０及び図２８乃至図３１から明らかなように、絞り部材６若しくは該絞り部材によって取り囲まれた調整部材７は、移動させられて、図１及び図２、図５及び図６、図９及び図１０、図１３及び図１４、図１７及び図１８、並びに図２８及び図２９に示してある出発位置（基準位置若しくは初期位置）と、図３及び図４、図７及び図８、図１１及び図１２、図１５及び図１６、図１９及び図２０、並びに図３０及び図３１に示してある使用位置との間で、絞り部材６と調整部材７との間の相対位置（相互間隔）を変化させるようになっている。絞り部材６によって、使用位置で該絞り部材と調整部材との間に制御間隙８を画定するようになっており、つまり、出発位置における絞り部材６と調整部材７との間の相対位置は、流量調整器の、制御間隙８に比べて大きな流過断面を生ぜしめるように規定されている。この場合に、絞り部材６と調整部材７との間の相対位置は、流入する若しくは流過する流体に基づき、戻し力に抗して出発位置から使用位置へ移され、つまり第１の実施例では、調整部材７は、流過断面内を流過する液体の流れを受けて戻し力に抗して出発位置から使用位置へ移動させられ、出発位置と使用位置との間で絞り部材６と調整部材７との間の相互間隔（相対位置）を変化させるようになっている。戻し力は、絞り部材６及び調整部材７を流入する流体の低い圧力（流量）では出発位置に保持するように規定されており、これによって出発位置では、絞り部材６と調整部材７との間に制御間隙８よりも大きな流過断面を形成してあり、したがって液体は、低い圧力では流量調整器１，２，３，４，５，４０を、実質的に妨げられることなく、つまり絞られることなく流過することになり、流量調整器１，２，３，４，５，４０の調整機能（調量機能）は圧力の増大に伴ってようやく生じるようになっている。
【００２５】
絞り部材６と調整部材７との間の相対位置（相互間隔）を変化させるために、ここでは、調整部材７が流量調整器１，２，３，４，５，４０内に摺動可能に案内されていて、流入する液体の圧力下で使用位置へ移動（運動）させられるようになっている。この場合に、調整部材７は流出側で、ここでは圧縮ばねとして形成されたコイルばね９によって負荷（付勢）されており、つまりコイルばね９は調整部材７の戻し力を形成している。
【００２６】
流量調整器のここに示してある各実施例１，２，３，４，５，４０は、互いに実質的に同じ機能及び構成を有しており、もっぱら、調整部材７を流量調整器内にどのように案内してあるかによってのみ異なっている。
【００２７】
図１乃至図１２及び図２８乃至図３１に示してある実施例１，２，３，４０においては、流量調整器内に案内ピン１０を設けてあり、該案内ピンは流量調整器の軸線方向に延びていて、該案内ピン上に摺動可能に案内された調整部材７によって取り囲まれている。調整部材７は、ここではリング状に形成され、若しくは円板状又はディスク状に形成されていて、案内ピン１０によって貫通される中央の案内開口部１１を有している。
【００２８】
図１３乃至図２０に示してある実施例４，５においては、流体の流過方向若しくは流量調整器の軸線方向に向けられた案内ピン１２を調整部材７に設けてあり、該案内ピンは流出側に配置された案内開口部１３内に摺動可能に案内されている。
【００２９】
図１乃至図１２及び図２８乃至図３１に明確に示してあるように、戻し力を形成するためのコイルばね９は、案内ピン１０，１２を取り囲んでいて、一方の端部でもって流出側から調整部材７を負荷している。図１７乃至図２０に示してある流量調整器５の調整部材７は、流出側に受容スリーブ１４を有しており、該受容スリーブはコイルばね９の、調整部材７に支持される側に端部領域を受容している。受容スリーブ１４の軸線方向の長さ寸法は、該受容スリーブ１４の流出側の端部が使用位置で調整部材７のためのストッパーとして役立つように、つまり調整部材７の移動運動を停止させるように規定されている。
【００３０】
図２１乃至図２４に示してある流量調整器５においては、絞り部材６は、拡大ピン２３に配置され、つまり被せ嵌められており、拡大ピン（拡開ピン）は液体の流過方向で円錐形に拡大していて、ディフューザ１６の衝突面から流量調整器内に突出している。絞り部材６は、流入する液体の圧力により、図２３及び図２４の出発位置から、拡大ピン（円錐ピン）２３に沿って該絞り部材の弾性材料の固有の弾性作用に抗して伸び広がりつつ図２１及び図２２の使用位置へ移動させられるようになっている。使用位置では、流量調整器２０の絞り部材６は、外側に位置する調整成形部２１と協働し、つまり調整成形部２１と一緒に制御間隙を画定するようになっており、調整成形部２１は、絞り部材６を取り囲む壁２２の内周に設けられ、つまり成形されている。
【００３１】
図２１乃至図２４に示してある流量調整器においては、環状の絞り部材６は、使用位置から出発位置へコイルばねによって移動させられるようになっているのではなく、該絞り部材自体に蓄えられた弾性エネルギーによって移動させられるようになっており、弾性エネルギーは、絞り部材が液体の増大する圧力により出発位置から使用位置へ移される際に、円錐形の拡大ピン２３に沿って滑り広がることに基づき半径方向に伸びることにより該絞り部材に蓄えられるものである。絞り部材６は、使用位置では半径方向に伸ばされた状態にある。液体が流れなくなり、絞り部材６に圧力が作用しなくなると、絞り部材６は収縮しつつ、円錐形の拡大ピン２３の外周の傾斜面に沿って上方に向かって出発位置へ滑り戻ることになる。出発位置では、伸ばされていない状態（つまり収縮した状態）にある絞り部材６は、使用位置の場合に比べて減少された外周を有しており、したがって、制御間隙８に比べて大きな流過断面が生じている。
【００３２】
水若しくは液体内に含まれて一緒に運ばれる汚れ粒子によって、流量調整器の機能、並びに流量調整器の下流側に接続される衛生用の機能ユニットの機能を損なわないようにするために、図５乃至図２４の流量調整器２，３，４，５，２０の上流側には装着式のろ過器３０を接続してあり、該ろ過器（メッシュ若しくはフィルター）は、調量器２，３，４，５，２０の流入側若しくは上流側のろ過器受容部に係止され、若しくは有利にはろう付け可能に保持されるようになっている。特に低圧時に水に付加的な高い抵抗力を生ぜしめないために、ろ過器の各ろ過開口部はそれぞれ所定の大きさの直径若しくは寸法を有していて、所定の大きさの流過断面を形成するようになっている。流量調整器に装着されたろ過器３０のろ過開口部を通過してしまう液体内の汚れ粒子は、出発位置における大きな流過断面では、絞り部材６と調整部材７との間の間隙領域をも難なく通過して、流量調整器の機能を損なうものではない。
【００３３】
図示の流量調整器１，２，３，４，５，２０，４０は、出発位置において実質的に得られる自己洗浄作用に基づき、液体の低圧のおそれが通常はなく、液体内の汚れ粒子が排除されないような領域にも有利に用いられるものである。図５乃至図２４に示してある実施例２，３，４，５，２０に示してあるように、流量調整器の流出側若しくは下流側に、通気式若しくは非通気式の噴流調整器１５を接続していてよく、この場合に流量調整器と噴流調整器１５とは互いに有利には分離可能に結合されて１つの衛生用の組込ユニットを成している。
【００３４】
図５乃至図２４に示してある噴流調整器１５は、流入側の噴流調整器を有しており、該噴流調整器は、流入する水流を複数の個別の噴流（個別噴流）に分けるようになっていて、ここではディフューザ１６として形成されており、該ディフューザは低い圧力状態でも個別噴流に空気を取り込むようになっている。ディフューザ１６の代わりに図示省略の多孔板を噴流調整器として設けることも可能である。
【００３５】
図５乃至図８に示す実施例２において、流出側に接続された噴流調整器のディフューザ１６から案内ピン１０を垂直に若しくは軸線方向に突出させてあり、該案内ピン１０に沿って流入側の流量調整器２の調整部材７を摺動可能に案内してあるのに対して、図１３乃至図１６に示す実施例のディフューザ１６には、案内開口部１３を設けてあり、該案内開口部は、調整部材７から突出する案内ピン１２によって貫通され、つまり該案内ピンを摺動可能に受容している。図１３乃至図１６に明確に示してあるように、案内開口部１３には流入側に案内スリーブ１７を接続してあり、該案内スリーブの流入側の端部は調整部材７に対して使用位置でのストッパーとして用いられている。
【００３６】
図５乃至図８に示す流量調整器２においては案内ピン１０をディフューザ１６の液体流受けプレートに一体に成形してあるのに対して、図９乃至図１２に示す流量調整器３において案内ピン１０は、差し込み部品（挿入部品）若しくは装着部品又は交換部品として形成された流量調整器３の調整器ケーシングに一体結合されている。図面を互いに比較することによって明らかであるように、図９乃至図１２に示されていて分離式（独立形）の機能ユニットとして形成された流量調整器３は市販の噴流調整器にも使用されるものであり、この場合に流量調整器３は、ディフューザ１６の液体流受けプレートの上流側のスペース内に装着されて、必要に応じて上流側のろ過器３０と結合されるようになっている。流量調整器３を市販の噴流調整器と一緒に用いることは、軸線方向に向けられた案内ピン１０が、下流側の噴流調整器のディフューザ１６と結合されているのではなく、流量調整器３の調整器ケーシングに結合されていることに基づき可能である。
【００３７】
ここに示してある流量調整器１，２，３，４，５，２０，４０は、別の衛生用の機能ユニットにも装着され得るものである。図２５及び図２６には、図１乃至図４の流量調整器と比較可能な流量調整器１を示してあり、該流量調整器の流出側には、逆止弁として形成された逆流防止装置２４を接続してある。図２５は、流量調整器１及び逆流防止装置２４から成る衛生用の機能ユニットを、液体の流れていない無負荷の出発位置で示しており、該出発位置では、流量調整器１は、制御間隙８に比べて大きな流過断面を有しており、逆流防止装置２４は、該逆流防止装置の閉鎖位置を占めている。これに対して衛生用の機能ユニットは図２６には該機能ユニットの使用位置で、つまり該機能ユニット内を液体の流れる使用位置で示してあり、該使用位置では、絞り部材６は、該絞り部材と調整成形部２１との間に制御間隙８を画定しており、逆流防止装置２４はその開放位置を占めている。例えばホース先端に取り付けられたシャワー水栓の場合に組込ユニットの流入側に落差が生じて、流出側の圧力が流入側の圧力よりも高くなると、流量調整器１の下流側に接続された逆流防止装置２４は、通常の流過方向とは逆向きの液体の逆流を阻止するようになっている。
【００３８】
図示の流量調整器１，２，３，４，５，２０，４０を用いて、単位時間当たりに流れる液体の最大の流量を、一様にして所定の値に規定できるようになっている。流量調整装器１，２，３，４，５，２０，４０は、出発位置若しくは静止位置では流入する水若しくは同等の液体に対して比較的低い抵抗しか有しておらず、一時的及び／又は局所的に極端な圧力差及び圧力変動の生じる領域にも用いられるものである。一定の高い水圧の生じる領域にも図示の流量調整装器は使用され、それというのは流量調整装器の出発位置では、液体内に含まれる汚れ粒子が間隙領域を通過して流量調整装器の機能を妨げないからである。
【００３９】
図２７には、図示の流量調整装器１，２，３，４，５，２０の単位時間当たりの流過量を別の例と比較して示してある。特性線Ａは、調整されない液体管路の流過量（流量）を示している。例えば標準に設定された許容最大の流過を所定の圧力で維持して、液体管路内の単位時間当たりの流過量を減少させるために、液体管路内には、例えば簡単な絞り円板として形成された流過制限器を挿入すると、この種の流量制限器によって絞られた液体管路の流過量は、特性線Ｂに示すようになっている。単位時間当たりの流過量を従来技術の市販の流量調整器によって、圧力に左右されない所定の最大値に調整すると、このような従来技術の流量調整器の流量特性（流過量）は特性線Ｃに示されるようになっており、この場合に液体の低い圧力（低圧）での流過量は、前記非調整式の液体管路の流過量と比較して著しく減少している。特性線Ｄは、図示の流量調整装器１，２，３，４，５，２０の流過量を示している。特性線Ａと特性線Ｄとを比較することにより明らかなように、本発明に基づく流量調整装器１，２，３，４，５，２０は、低い圧力で損なわれることのない単位時間当たりの流過量を有しており、該流過量は、所定の液圧（水圧）の達成時に単位時間当たりの所定の最大値に調整され、かつ液体の引き続く圧力上昇に際しても増大することなく維持されるものである。
【００４０】
図示の流量調整装器１，２，３，４，５，２０，４０は、例えば衛生用の供給導管にも取り付けられ、特にガス供給導管、有利には給水導管にも有利に取り付けられるものである。
【００４１】
図２８乃至図３１に示す流量調整器４０は、流れ方向と逆向きに軸線に沿って突出する案内ケース４１を有しており、該案内ケースは調整部材７を受容しており、つまり、調整成形部２１を支持している調整部材７は、案内ケース４１内に軸線方向摺動可能に案内されている。案内ケース４１は、流過している液体の逆流の際に調整部材７の不都合な浮き上がり及び浮き外れを防止するようになっている。図２８から見て取れるように、案内ケース４１によって調整部材７の軸線方向の作動位置を画定してあるので、調整部材７は、案内ピン１０上に軽く被せ嵌められて、流量調整器４０内に保持されていて、流量調整器４０の正確な機能を付加的に保証している。
【００４２】
図示の流量調整器の個別の少なくとも１つの構成部分は、カラーコードを有していてよく、カラーコードはユーザーに、流量調整器の使用領域若しくは調整特性を示すようになっている。流量調整器４０の案内ケース４１が青色若しくは赤色を有しており、例えば青色の案内ケースを有する流量調整器は、冷水領域若しくは給水領域で用いられるものであり、赤色の案内ケースを有する流量調整器は、熱湯領域若しくは給湯領域で用いられるものである。個別の構成部分、例えば案内ケースの色は、組み込まれた戻しばね９のばね力、ひいては流量調整器４０の調整特性を示すようになっていてもよいものである。
【００４３】
図２８乃至図３１から明らかであるように、ここに示してある流量調整器４０は、液体管路若しくは液体導管内に取り付け可能（装着可能）な組込部品として形成されている。この場合に流量調整器４０は、外周に少なくとも１つの環状のシールリップ４２を有しており、該シールリップは流量調整器４０と液体管路の調整器受容部との間を密閉するようになっている。シールリップ４２は、流量調整器ケーシングの外周から、流入側に向かって開く溝、ここではほぼ断面Ｖ字形に形成された１つの溝４３によって分離され、かつシール端部４４でもって外側に向かって斜めに突出していて、半径方向内側へばね弾性的に変位させられ、つまり、たわめられるようになっている。流量調整器４０に設けられたシールリップ４２によって、流量調整器と、該流量調整器と取り囲む流量調整器受容部との間の領域の良好な密閉を達成できるようになっているだけではなく、シールリップ４２は、図示省略の流量調整器受容部内での流量調整器４０の不動の保持にも役立っている。
【符号の説明】
【００４４】
６  絞り部材、  ７  調整部材、  ８  制御間隙、  ９  コイルばね、  １０  案内ピン、  １１  案内開口部、  １２  案内ピン、  １４  受容スリーブ、  １５  噴流調整器、  １６  ディフューザ、  １７  案内スリーブ、  ２１  調整成形部、  ２２  壁、  ２３  拡大ピン、  ２４  逆流防止装置、  ４１  案内ケース、  ４２  シールリップ、  ４３  溝、  ４４  シールリップ
【図１】
0005484061.tif 000002
【図２】
0005484061.tif 000003
【図３】
0005484061.tif 000004
【図４】
0005484061.tif 000005
【図５】
0005484061.tif 000006
【図６】
0005484061.tif 000007
【図７】
0005484061.tif 000008
【図８】
0005484061.tif 000009
【図９】
0005484061.tif 000010
【図１０】
0005484061.tif 000011
【図１１】
0005484061.tif 000012
【図１２】
0005484061.tif 000013
【図１３】
0005484061.tif 000014
【図１４】
0005484061.tif 000015
【図１５】
0005484061.tif 000016
【図１６】
0005484061.tif 000017
【図１７】
0005484061.tif 000018
【図１８】
0005484061.tif 000019
【図１９】
0005484061.tif 000020
【図２０】
0005484061.tif 000021
【図２１】
0005484061.tif 000022
【図２２】
0005484061.tif 000023
【図２３】
0005484061.tif 000024
【図２４】
0005484061.tif 000025
【図２５】
0005484061.tif 000026
【図２６】
0005484061.tif 000027
【図２７】
0005484061.tif 000028
【図２８】
0005484061.tif 000029
【図２９】
0005484061.tif 000030
【図３０】
0005484061.tif 000031
【図３１】
0005484061.tif 000032